(57)【要約】【課題】中間下地材に対する軒天井板の取り付け作業を容易にし、ビス留めによるパテ補修等の不要な技術を提供することにある。【解決手段】天井板取付具１０は、軒天井板６０に接する底片２０と、その底片２０の左右側縁から起立している左右一対の起立片３０，３０とを備える。底片２０には左右に長い通し孔２１が設けられ、埋め込みナット５０にワッシャー５１を介在させボルトネジ５２をこの通し孔２１に通して、天井板取付具１０を軒天井板６０へ固定させる。起立部３０，３０の上端部は内側に９０度折曲され、下地材係止部３１，３１を形成する。また、この下地材係止部３１，３１からは斜め上方外側へ張り出したガイド部３４，３４を備える。さらに、起立部３０，３０の下端部も逆Ｌ字形に内側へ折曲され、下地材支持部３７，３７を形成する。【選択図】  図１
2004244953.tif 000002
【特許請求の範囲】
【請求項１】
天井裏の下地材に天井板を取り付けるための天井板取付具であって、
天井板取付具を天井板へ固定するための締結具を通す通し孔を設けて天井板に接する底片と、
その底片から起立して下地材を挟み込む左右一対の起立片とを備え、
その起立片の内側には、起立片の弾性作用により下地材の挿入を可能にしつつその抜脱を防止する下地材係止部を備えた天井板取付具。
【請求項２】
底片の通し孔を通した締結具に対して挿入された下地材を接触させないための下地材支持部を備えた請求項１記載の天井板取付具。
【請求項３】
下地材を左右一対の起立片間へ導くために、起立片の上端部から外側へ張り出したガイド部を備えた請求項１又は２記載の天井板取付具。
【請求項４】
底片に設けられた通し孔を、挿入する下地材の長手方向と交わる方向へ長く形成させた請求項１から３のいずれかに記載の天井板取付具。
【発明の詳細な説明】
【０００１】
【発明の属する技術分野】
天井板、とくに軒天井板を下地材に取り付けるための取付具に関するものである。
【０００２】
【従来の技術】
図５は、従来の軒天井の構造を示すものである。軒天井板６０は、建物外壁９０に取り付けられた軒天井支持金具７０にその一端を支持され、また、鼻先下地材８０、中間下地材８１によってそれぞれ他端及び中央部分をビス留め６９，６９される。これにより、軒裏の天井面が形成される。
【０００３】
ここで、軒天井の構造については、特許文献１において軒裏天井の換気構造および軒裏天井板支持金具に関する技術が開示されており、特許文献２において下地材を組立てる連結部材に関する技術が開示されている。
【０００４】
【特許文献１】
特開２０００−２０４７０９号公報
【特許文献２】
特開平１１−６２３９号公報
【０００５】
【発明が解決しようとする課題】
これに対して、中間下地材８１に対するビス留め６９については、従来より次のような問題点がある。
（１）ビス留め箇所が頭上位置にあるので、ビス留め作業が面倒である。
（２）ビス留め後、ビス頭のパテ補修・タッチアップが必要である。
そこで、本発明は作業が容易で、ビス留めによるパテ補修等の不要な技術を提供することを目的とする。
【０００６】
【課題を解決するための手段】
ここで、第一の発明は、天井裏の下地材に天井板を取り付けるための天井板取付具であって、
天井板取付具を天井板へ固定するための締結具を通す通し孔を設けて天井板に接する底片と、
その底片から起立して下地材を挟み込む左右一対の起立片とを備え、
その起立片の内側には、起立片の弾性作用により下地材の挿入を可能にしつつその抜脱を防止する下地材係止部を備えたことを特徴とする。
【０００７】
第二の発明は、底片の通し孔を通した締結具に対して挿入された下地材を接触させないための下地材支持部を備えたことを特徴とする。
【０００８】
第三の発明は、下地材を左右一対の起立片間へ導くために、起立片の上端部から外側へ張り出したガイド部を備えたことを特徴とする。
【０００９】
第四の発明は、底片に設けられた通し孔を、挿入する下地材の長手方向と交わる方向へ長く形成させたことを特徴とする。
【００１０】
【作用】
第一の発明によれば、底片に設けられた通し孔に締結具を通して天井板へ取り付けられた天井板取付具は、その底片から起立して下地材を挟み込む左右一対の起立片とを備える。そして、下地材に対して下方に位置する天井板取付具が底片方向から応力を受けると、左右一対の起立片はその弾性作用により断面逆ハの字形状に開き、下地材の挿入を可能にする。いったん挿入された下地材は、下地材係止部に係止されて、その抜脱が防止される。
【００１１】
第二の発明によれば、底片の通し孔を通した締結具に対して挿入された下地材を接触させないための下地材支持部を備えることで、締結具と下地材の接触が防止される。
【００１２】
第三の発明によれば、下地材を左右一対の起立片間へ導くために、起立片の上端部から外側へ張り出したガイド部を備えることで、下地材がこのガイド部に当接し、そのままガイド部に導かれるようにして起立片間へ位置される。
【００１３】
第四の発明によれば、底片に設けられた通し孔を、挿入する下地材の長手方向と交わる方向へ長く形成させたことで、下地材の位置に合わせて左右（下地材の長手方向と交わる方向）にスライド可能となる。
【００１４】
【発明の実施の形態】
本発明の実施形態について図面を用いて説明する。なお、本発明の「天井」についてはとくに限定はなく、建築物の「天井」に該当するものには適用できる。本実施形態では、とくに軒天井を例に説明する。
【００１５】
図１は、本発明の天井板取付具１０を示す斜視図である。天井板取付具１０は、軒天井板６０に接する矩形状の底片２０と、その底片２０の左右側縁から起立している左右一対の起立片３０，３０とを備える。
【００１６】
底片２０には、その中心に起立片３０，３０側へ延びる左右に長い通し孔２１が設けられている。予め軒天井板６０へ埋め込みナット５０を埋め込んでおき、ワッシャー５１を介在させボルトネジ５２をこの通し孔２１に通して、天井板取付具１０を軒天井板６０へ固定させる。このようにして固定することで、軒天井板６０の下面には締結具が露出することはなく、従来のビス留めによるパテ補修等は不要となる。
【００１７】
起立部３０，３０の上端部は内側に９０度折曲され、中間下地材８１の抜脱を防止する下地材係止部３１，３１を形成する。
また、この下地材係止部３１，３１からは中間下地材８１を下地材係止部３１，３１間へ導くために、起立部３０，３０の斜め上方外側へ張り出したガイド部３４，３４を備える。
さらに、起立部３０，３０の下端部も逆Ｌ字形に内側へ折曲され、通し孔２１を通したボルトネジ５２に挿入された中間下地材８１を接触させないための下地材支持部３７，３７を形成する。
【００１８】
図２は、天井板取付具１０の使用状態を示す説明用断面図である。
図２（Ｉ）に示すように、天井板取付具１０は予め軒天井板６０へ固定される。そして、天井板取付具１０を固定した軒天井板６０はその一端６１を建物外壁９０に取り付けられた軒天井支持金具７０に差し込み、これを軸に他端６２を鼻先下地材８０、中間下地材８１方向へ回動させる。
【００１９】
図２（Ｉ）から（ＩＩ）に示すように、天井板取付具１０は、ガイド部３４，３４を備えているので、中間下地材８１はこのガイド部３４，３４に当接し、そのままガイド部３４，３４に導かれるようにして、起立片３０，３０間に挟み込まれる。このとき、底片２０の通し孔２１が中間下地材８１と交わる方向へ長く形成されているので、天井板取付具１０は中間下地材８１の位置に合わせて左右にスライド可能であり、確実に中間下地材８１の位置に天井板取付具１０を調整できる。
【００２０】
図２（ＩＩ）から（ＩＩＩ）に示すように、起立片３０，３０は下方底片２０方向から応力がかかるとその弾性作用により断面逆ハの字形状に開き、中間下地材８１の挿入を可能にする。いったん挿入された中間下地材８１は、下地材係止部３１，３１に係止されて、その抜脱を防止できる。すなわち、作業者は天井板取付具１０の固定された軒天井板６０をその一端６１を軸に下から回動させるだけで、中間下地材８１にワンタッチで取付作業を行える。
また、中間下地材８１の底面８２は下地材支持部３７，３７に当接することで、ボルトネジ５２と接触しない。
【００２１】
図３および図４は、天井板取付具１０のその他の実施形態を示す断面図である。
図３は、起立片３０，３０の下地材係止部を凸状に隆起させた下地材係止部３２，３２としたものである。
また、図４は、底片２０，２０の左右側縁近傍を上方へ突状に折曲させて下地材支持部３８，３８としたものである。
【００２２】
なお、下地材係止部や下地材支持部は、これらの形状に限られるものではなく、中間下地材８１の抜脱や中間下地材８１とボルトネジ５２との接触を防止できる形状であればよい。
【００２３】
【発明の効果】
本発明によれば、次のような効果を有する。
▲１▼底片に設けられた通し孔に締結具を通して天井板へ取り付けられた天井板取付具は、その底片から起立して下地材を挟み込む左右一対の起立片とを備える。そして、下地材に対して下方に位置する天井板取付具が底片方向から応力を受けると、左右一対の起立片はその弾性作用により断面逆ハの字形状に開き、下地材の挿入が可能となる。いったん挿入された下地材は下地材係止部に係止されて、その抜脱を防止できる。
【００２４】
その結果、作業者は天井板取付具の固定された天井板をその一端を軸に下から回動させるだけで、下地材にワンタッチで取付作業を行える。また、天井板下面には締結具が露出することはなく、従来のビス留めによるパテ補修等は不要となる。従って、本発明によれば、作業が容易で、ビス留めによるパテ補修等の不要な天井板の取付技術を提供することができる。
【００２５】
また、その他に次のような効果を有する。
▲２▼底片の通し孔を通した締結具に対して挿入された下地材を接触させないための下地材支持部を備えることで、締結具と下地材の接触を防止し、下地材を確実に保持できる。また、接触による締結具と下地材の損傷を抑えることができる。
▲３▼下地材を左右一対の起立片間へ導くために、起立片の上端部から外側へ張り出したガイド部を備えることで、下地材がこのガイド部に当接し、そのままガイド部に導かれるようにして起立片間へ位置し、下地材の挿入がスムーズにできる。
▲４▼底片に設けられた通し孔を、挿入する下地材の長手方向と交わる方向へ長く形成させたことで、下地材の位置に合わせて左右（下地材の長手方向と交わる方向）にスライド可能となり、確実に下地材の位置に天井板取付具を調整できる。
【図面の簡単な説明】
【図１】本発明の天井板取付具を示す斜視図。
【図２】天井板取付具の使用状態を示す説明用断面図。
【図３】天井板取付具のその他の実施形態を示す断面図。
【図４】天井板取付具のその他の実施形態を示す断面図。
【図５】従来の軒天井の構造を示す断面図。
【符号の説明】
１０  天井板取付具
２０  底片        ２１  通し孔
３０  起立片      ３１  下地材係止部
３４  ガイド部    ３７  下地材支持部
５０  埋め込みナット
５１  ワッシャー
５２  ボルトネジ
６０  軒天井板
【図１】
2004244953.tif 000003
【図２】
2004244953.tif 000004
【図３】
2004244953.tif 000005
【図４】
2004244953.tif 000006
【図５】
2004244953.tif 000007